(57)【特許請求の範囲】
【請求項１】
監視ネットワーク上に配置された複数台の監視対象装置と、該複数台の監視対象装置を集中管理する監視システムと、を有するネットワーク監視システムにおいて、前記複数台の監視対象装置に関する情報を前記監視システムに登録する方法であって、
前記監視システムが、前記監視ネットワークにおいて適用されるＯＳＰＦルーチンプロトコルにおいて当該監視システムの情報を含めた独自メッセージを付与して、前記監視ネットワーク全体に配信するステップと、
前記独自メッセージを受信した監視対象装置が、前記監視システムへ、当該監視対象装置に関する情報を含めた登録依頼メッセージを送出するステップと、
を含む、監視対象装置の登録方法。
【請求項２】
前記監視システムが、前記登録依頼メッセージを受信するステップを更に含む、請求項１に記載の監視対象装置の登録方法。
【請求項３】
前記監視システムが、前記登録依頼メッセージを受信後、該当する監視対象装置に対して登録依頼メッセージの受信完了を通知するステップを更に含む、請求項２に記載の監視対象装置の登録方法。
【請求項４】
監視ネットワーク上に配置された複数台の監視対象装置と、該複数台の監視対象装置を集中管理する監視システムと、を有するネットワーク監視システムにおいて、
前記監視システムは、
前記監視ネットワークに対してＯＳＰＦプロトコルパケットを送出し、前記複数台の監視対象装置から送出されるＯＳＰＦプロトコルパケットを受信する監視側ＯＳＰＦプロトコル処理部と、
前記ＯＳＰＦプロトコルパケットに当該監視システムの情報を格納して前記監視ネットワーク上に配信する監視システム情報挿入部と、を有し、
前記複数台の監視対象装置の各々は、
前記監視ネットワークに対してＯＳＰＦプロトコルパケットを送出し、前記監視システムから送出されるＯＳＰＦプロトコルパケットを受信する装置側ＯＳＰＦプロトコル処理部と、
前記ＯＳＰＦプロトコルパケットに格納された前記監視システムの情報により、前記監視システムを抽出する監視システム情報抽出部と、
前記抽出した監視システムに対して、当該監視対象装置の装置種別や監視用に設定された装置名称を含めた登録依頼メッセージを送出する登録メッセージ送信処理部と、を有する
ネットワーク監視システム。
【請求項５】
前記監視システムは、前記登録依頼メッセージを受信する登録メッセージ受信処理部を更に含む、請求項４に記載のネットワーク監視システム。
【請求項６】
監視ネットワーク上に配置された複数台の監視対象装置を集中管理する監視システムであって、
前記監視ネットワークに対してＯＳＰＦプロトコルパケットを送出し、前記複数台の監視対象装置から送出されるＯＳＰＦプロトコルパケットを受信するＯＳＰＦプロトコル処理部と、
前記ＯＳＰＦプロトコルパケットに当該監視システムの情報を格納して前記監視ネットワーク上に配信する監視システム情報挿入部と、
を有する監視システム。
【請求項７】
前記複数台の監視対象装置のいずれかから送出される登録依頼メッセージを受信する登録メッセージ受信処理部を更に含む、請求項６に記載の監視システム。
【請求項８】
監視ネットワーク上に配置され、監視システムによって集中管理される監視対象装置であって、
前記監視ネットワークに対してＯＳＰＦプロトコルパケットを送出し、前記監視システムから送出されるＯＳＰＦプロトコルパケットを受信するＯＳＰＦプロトコル処理部と、
前記ＯＳＰＦプロトコルパケットに格納された前記監視システムの情報により、前記監視システムを抽出する監視システム情報抽出部と、
前記抽出した監視システムに対して、当該監視対象装置の装置種別や監視用に設定された装置名称を含めた登録依頼メッセージを送出する登録メッセージ送信処理部と、
を有する監視対象装置。
【発明の詳細な説明】
【技術分野】
【０００１】
本発明は、ネットワーク監視システムに関し、特に、監視対象装置に関する情報を登録（検出）する方法に関する。
【背景技術】
【０００２】
ネットワーク監視システムは、監視システムと、この監視システムに監視ネットワークを介して接続された複数台の監視対象装置とを備えている。このようなネットワーク監視システムにおいて、監視システムは、複数台の監視対象装置を監視するために、それら複数台の監視対象装置に関する情報を登録する必要がある。ここで、「監視対象装置に関する情報」とは、当該監視対象装置のＩＰアドレス、装置名称、装置種別等の、監視対象装置を特定する情報を意味する。
【０００３】
従来、監視対象装置に関する情報を登録する場合、監視システムにおいて監視対象装置に関する情報を手動で登録していた。
【０００４】
一方、この種のネットワーク監視システムにおいては、柔軟な経路制御を行うために、ルーティングプロトコルとしてＯＳＰＦ（Open Shortest Path First）を適用することが多い。経路制御プロトコルとしてＯＳＰＦを用いた、種々の先行技術文献が知られている。
【０００５】
例えば、特許文献１は、経路制御プロトコルとしてＯＳＰＦを用いたネットワークにおいて、ネットワークの全体構成を一元管理することが可能であり、経路障害を簡単かつ正確に特定できるようにした「ネットワーク監視システム」を提供している。特許文献１に開示されたネットワーク監視システムは、複数のエリアをバックボーンエリアで結び、経路制御プロトコルとしてＯＳＰＦを採用したネットワークの経路変更監視システムである。この経路変更監視システムは、ＯＳＰＦルータと、エージェントと、マネージャとを具備する。ＯＳＰＦルータは、各エリアに設けられ、ネットワークの更新に応答して経路情報を交換し合う。エージェントは、各エリアごとに設けられ、経路情報を取得してリンク内のトポロジデータベースを作成する。マネージャは、バックボーンエリアに設けられ、各エージェントからトポロジデータベースを収集し、これらを結合してネットワーク全体のトポロジデータベースを作成する。
【０００６】
また、特許文献２は、ＯＳＰＦプロトコルが動作するネットワークシステムにおいて、ＯＳＰＦパケットを監視し、異常を検知し、改善案を提示することができる「ネットワークシステム」を提案している。特許文献２に開示されたネットワークシステムは、少なくとも一つのネットワーク監視装置と、このネットワーク監視装置を統合的に監視する総合監視システムとを備え、ＯＳＰＦユニキャストルーティングプロトコルが動作するネットワークシステムである。ネットワーク監視装置の各々は、エリア情報ルータおよびＡＳ境界ルータが配信するＬＳＡ情報を配信サブネット情報として定期的に監視し、エリア情報ルータ及びＡＳ境界ルータが配信するＬＳＡ情報をＡＢＲ／ＡＳＢＲ情報として取得し、その配信サブネット情報とＡＢＲ／ＡＳＢＲ情報とを統合監視装置に通知する。統合監視装置は、配信サブネット情報及びＡＢＲ／ＡＳＢＲ情報を各エリア単位に管理し、エリア境界ルータ及びＡＳ境界ルータをマップ上に識別表示し、配信サブネット情報をユーザ操作に応じて表示する。更に、統合監視装置は、ネットワーク集約可能なサブネットを解析し表示する。
【先行技術文献】
【特許文献】
【０００７】
【特許文献１】特開２００２−３５４０１２号公報
【特許文献２】特開２０１０−１０９７２９号公報
【発明の概要】
【発明が解決しようとする課題】
【０００８】
このようなネットワーク監視システムでは、監視システムにおいて複数種類の監視対象装置に関する情報を登録し、管理するため、該当する監視対象装置の名称やそのＩＰ（internet protocol）アドレス、装置種別など設定項目が多い。その結果、大量の監視対象装置の登録を行うことによる作業効率の低下や、設定間違いによる監視異常などにより、監視対象装置を正しく監視することができないという問題がある。
【０００９】
また、従来のネットワーク監視システムにおいて、ＬＬＤＰ（Link Layer Discovery Protocol）といったプロトコルを使用して、監視ネットワーク上に配置された機器（監視対象装置）を検出する方法をとるものがある。しかしながら、ＬＬＤＰはレイヤ２プロトコルであり、サブネットワークをまたいで情報を一元的に抽出することができない。その為、ネットワーク全体の情報を把握するためには、監視システムに隣接したネットワークから徐々に機器に関する情報を取得していく必要がある。
【００１０】
そのほか、監視システムから運用者等に指定されたＩＰアドレスの範囲に対して登録メッセージを送信し、応答があった監視対象装置に関する情報を登録するといった半自動の方法を提供するものもある。しかしながら、監視対象装置の有無によらず登録メッセージを送出するため、効率的ではないという課題がある。
【００１１】
本発明の目的は、監視対象装置において特別な設定を行うことなく、監視対象装置を自動で検出（監視対象装置に関する情報を登録）する方法を提供することにある。
【００１２】
尚、上記特許文献１および２に開示されたネットワーク（監視）システムは、どちらも、単にＯＳＰＦのパケットを受動的に監視し、ネットワーク状態を判断しているに過ぎない。換言すれば、上記特許文献１および２は、いずれも、ネットワーク上の監視対象装置を自動で検出する技術思想に関するものではない。
【課題を解決するための手段】
【００１３】
本発明に係る監視対象装置の登録方法は、監視ネットワーク上に配置された複数台の監視対象装置と、該複数台の監視対象装置を集中管理する監視システムと、を有するネットワーク監視システムにおいて、前記複数台の監視対象装置に関する情報を前記監視システムに登録する方法であって、前記監視システムが、前記監視ネットワークにおいて適用されるＯＳＰＦルーチンプロトコルにおいて当該監視システムの情報を含めた独自メッセージを付与して、前記監視ネットワーク全体に配信するステップと、前記独自メッセージを受信した監視対象装置が、前記監視システムへ、当該監視対象装置に関する情報を含めた登録依頼メッセージを送出するステップと、を含む。
【発明の効果】
【００１４】
本発明によれば、サブネットワークによる制限を回避し、存在しない装置に対する非効率的なパケット送出を回避することが可能であり、誤設定の機会を減らすことが可能である。
【図面の簡単な説明】
【００１５】
【図１】本発明の第１の実施形態に係るネットワーク監視システムを示すブロック図である。
【図２】図１に示したネットワーク監視ネットワークシステムに使用される、監視システムおよび監視対象装置の内部構成を示すブロック図である。
【図３】ＯＳＰＦプロトコルで配信されるOpaque LSAの構成を示す図である。
【図４】図３に示したOpaque LSAのOpaque Informationにおいて設定された例を示す図である。
【図５】図１に示したネットワーク監視システムにおいて、監視ネットワーク中のルータをも図示したブロック図である。
【図６】図１に示したネットワーク監視システムの監視対象装置の動作手順を示すフローチャートである。
【図７】図１に示したネットワーク監視システムにおいて、監視対象装置から監視システムに発出される登録依頼メッセージの一例をも示すブロック図である。
【図８】図１に示したネットワーク監視システムの監視システムの動作手順を示すフローチャートである。
【図９】本発明の第２の実施形態に係るネットワーク監視システムを示すブロック図である。
【図１０】本発明に関連する第１のネットワーク監視システムを示すブロック図である。
【図１１】図１０に示したネットワーク監視システムにおける、監視対象装置に関する情報の登録方法を示すフローチャートである。
【図１２】本発明に関連する第２のネットワーク監視システムを示すブロック図である。
【図１３】本発明に関連する第３のネットワーク監視システムを示すブロック図である。
【図１４】図１３に示したネットワーク監視システムにおける、監視対象装置に関する情報の登録方法を示すフローチャートである。
【発明を実施するための形態】
【００１６】
本発明の理解を容易にするために、最初に、本発明に関連するネットワーク監視システムについて説明する。
【００１７】
図１０および図１１を参照して、本発明に関連する第１のネットワーク監視システムにおける、監視対象装置に関する情報の登録方法について説明する。図１０は本発明に関連する第１のネットワーク監視システムを示すブロックであり、図１１は本発明に関連する第１のネットワーク監視システムにおける監視対象装置に関する情報の登録方法を示すフローチャートである。
【００１８】
図１０に示されるように、本発明に関連する第１のネットワーク監視システムは、監視システム１０１と、監視対象装置１０３とを備え、それらは監視ネットワーク１０２を介して接続されている。
【００１９】
次に、図１１を参照して、図１０に示した関連する第１のネットワーク監視システムにおける監視対象装置に関する情報の登録方法について説明する。
【００２０】
関連する第１のネットワーク監視システムにおいては、監視対象装置を設置し（ステップＳ３０１）た後、監視対象装置１０３においてＩＰ（interne protocol）アドレスの設定、装置名称の設定、ルーティングプロトコルの設定を行う（ステップＳ３０２）。そして、監視システム１０１との到達性を確保したうえで監視システム１０１から該当装置１０３を監視するために、監視システム１０１において装置種別の設定、該当装置のＩＰアドレスの設定、該当装置の装置名称の設定を行い（ステップＳ３０４）、該当装置１０３の登録を行う（ステップＳ３０３）。
【００２１】
この場合、監視システム１０１と監視対象装置１０３とにおいて同様の設定を矛盾なく設定する必要がある。設定間違いが発生すると監視対象装置１０３を正しく監視できないので、監視対象装置１０３への設定（ステップＳ３０２）、あるいは監視システム１０１への設定（ステップＳ３０４）を見直し、再度接続を行う必要があるという問題がある。
【００２２】
これらを解消するために、図１２に示すような、本発明に関連する第２のネットワーク監視システムが知られている。
【００２３】
図示の本発明に関連する第２のネットワーク監視システムは、監視システム１０１と、この監視システム１０１に第１のネットワーク４０１ａを介して接続されたネットワーク機器４０２と、このネットワーク機器４０２に第２のネットワーク４０１ｂを介して接続された第１の監視対象装置１０３ａと、この第１の監視対象装置１０３ａに第３のネットワーク４０１ｃを介して接続された第２および第３の監視対象装置１０３ｂおよび１０３ｃと、第１の監視対象装置１０３ａに第４のネットワーク４０１ｄを介して接続された第４の監視対象装置１０３ｄと、この第４の監視対象装置１０３ｄに第５のネットワーク４０１ｅを介して接続された第５および第６の監視対象装置１０３ｅおよび１０３ｆと、を含む。
【００２４】
本発明に関連する第２のネットワーク監視システムは、監視システム１０１や監視対象装置１０３ａ〜１０３ｆにおいて、ＬＬＤＰ（Link Layer Discovery Protocol）などのレイヤ２の隣接機器検出を行うプロトコルを使用して、監視対象装置１０３ａ〜１０３ｆの自動検出を行っている。
【００２５】
この場合、ＬＬＤＰのようなプロトコルはレイヤ２プロトコルであり、サブネットワークを越えて通信することがでない。そのため、監視システム１０１は、最初に監視システム１０１に隣接した第１のネットワーク４０１ａから情報を抽出し、その情報をもとに隣接する第１のネットワーク４０１ａに存在するネットワーク機器４０２に対して、さらに隣接する第２のネットワーク４０１ｂの情報を抽出する必要がある。また、場合によっては該当監視システム１０１において監視することのできない、たとえば異機種の装置（ネットワーク機器）４０２などを排除する必要がある。その結果、処理が複雑になるという課題がある。
【００２６】
図１３および図１４を参照して、本発明に関連する第３のネットワーク監視システムおよびその監視対象装置に関する情報の登録方法について説明する。図１３は本発明に関連する第３のネットワーク監視システムを示すブロックであり、図１４は本発明に関連する第３のネットワーク監視システムの監視対象装置に関する情報の登録方法を示すフローチャートである。
【００２７】
図１３に示されるように、本発明に関連する第３のネットワーク監視システムは、監視システム１０１と、第１乃至第６の監視対象装置１０３ａ〜１０３ｆとを備え、それらは監視ネットワーク１０２を介して接続されている。第１乃至第６の監視対象装置１０３ａ〜１０３ｆ同士は、監視回線１０４を介して互いに接続されている。
【００２８】
次に、図１４を参照して、図１３に示した関連する第３のネットワーク監視システムにおける監視対象装置に関する情報の登録方法について説明する。この登録方法は、監視システム１０１から指定された範囲のＩＰアドレスに対して登録メッセージを送出し、応答のあった監視対象装置に関する情報を登録する方法である。
【００２９】
まず、監視システム１０１は、指定された範囲のＩＰに対して登録メッセージを送信する（ステップＳ５０１）。そして、監視システム１０１は、監視対象装置から応答があったか否かを判断する（ステップＳ５０２）。応答があった場合（ステップＳ５０２の「あり」）、監視システム１０１は、その応答のあった監視対象装置に関する情報を登録する（ステップＳ５０３）。その登録後又はステップＳ５０２において応答がなかった場合（ステップ５０２の「なし」）、監視システム１０１は、指定された範囲すべての確認完了か否かを判断する（ステップＳ５０４）。確認完了でない場合（ステップＳ５０４の「いいえ」）、処理をステップＳ５０１に戻す。確認完了である場合（ステップＳ５０４の「はい」）、処理を終了する。
【００３０】
この登録方法では、監視対象装置の台数が増加するにつれ、ステップＳ５０１にて登録メッセージを送出するＩＰアドレスの範囲が広くなる。また、監視対象装置が存在するかどうかによらず登録メッセージを送出するため、結果として無駄なメッセージの送出が増加し、監視ネットワーク１０２のトラフィック増加を招く。さらに、監視システム１０１では、ステップＳ５０２に示すように、応答メッセージがないことをタイムアウトで判断するしかないため、装置登録処理時間の増加を招くという課題がある。
【００３１】
そこで、本発明では、監視ネットワークを運用するうえで通常適用されるルーティングプロトコルにおいて独自メッセージを挿入し、処理することにより不要なパケットを送出せず、最低限の設定により監視対象装置を自動的に検出（監視対象装置に関する情報を登録）する方法を提供する。
【００３２】
次に、本発明の特徴について説明する。
【００３３】
本発明は、監視ネットワーク上に配置された複数台の監視対象装置と、それらを集中管理する監視システムと、から構成されるネットワーク監視システムにおいて、監視ネットワーク上に設置された監視対象装置を自動的に検出（監視対象装置に関する情報を登録）し、監視システムにおいて監視対象装置を自動的に制御可能としたことを特徴としている。
【００３４】
次に、本発明の実施の形態の構成について図面を参照して説明する。
【００３５】
図１を参照して、本発明の第１の実施形態に係るネットワーク監視システムについて説明する。図示のネットワーク監視システムは、監視システム１０１と、第１乃至第６の監視対象装置１０３ａ〜１０３ｆとを備え、それらは監視ネットワーク１０２を介して接続されている。第１乃至第６の監視対象装置１０３ａ〜１０３ｆ同士は、監視回線１０４を介して互いに接続されている。
【００３６】
図１において、監視対象装置１０３ａ〜１０３ｆ、及び監視システム１０１は、本発明の第１の実施形態における監視機器（監視対象装置）の自動検出方法を搭載した装置である。
【００３７】
こうした監視システム１０１、および監視対象装置１０３ａ〜１０３ｆから構成されるネットワーク監視システムは、多くの監視対象装置を管理し、さらに監視ネットワーク１０２上にて障害が発生した場合においても監視システム１０１にて監視制御を継続する。そのため、監視回線１０４の冗長化やメッシュ構成といった複雑なネットワークを構成することが多い。また、そうしたネットワークにおいて柔軟な経路制御を行うため、ルーティングプロトコルとしてＯＳＰＦ（Open Shortest Path First）を適用することが多い。ここで、ＯＳＰＦとは、パケットを送信する際の最適なルートを決定するための経路制御プロトコルの１つで、総経路の料金を考慮して、最適経路を決定する。
【００３８】
図２は、図１に示した監視システム１０１および監視対象装置１０３の内部構成の詳細を示すブロック図である。
【００３９】
監視システム１０１は、ＩＰによって構成された監視ネットワーク１０２と１つ以上のインタフェースにて接続されている。
【００４０】
また、監視システム１０１は、その内部に、ＯＳＰＦプロトコル処理部１０５と、監視システム情報挿入部１０６と、登録メッセージ受信処理部１０９とを持つ。
【００４１】
ＯＳＰＦプロトコル処理部１０５は、監視ネットワーク１０２に対してＯＳＰＦプロトコルパケットを送出する。また、ＯＳＰＦプロトコル処理部１０５は、他の監視対象装置やルータなどから送出されるＯＳＰＦプロトコルパケットを受信し、監視ネットワーク１０２の経路制御を行う。
【００４２】
監視システム情報挿入部１０６は、監視システム１０１自身が送出するＯＳＰＦプロトコルパケットに監視システム１０１の情報を挿入する。登録メッセージ受信処理部１０９は、後述するように、監視対象装置１０３からの登録依頼メッセージを受信する。
【００４３】
これに対して、監視対象装置１０３は、監視システム１０１と同様に、ＩＰによって構成された監視ネットワーク１０２と１つ以上のインタフェースにて接続されている。
【００４４】
監視対象装置１０３は、経路制御のためのＯＳＰＦプロトコル処理部１０７と、監視システム情報抽出部１０８と、登録メッセージ送信処理部１１０とを持つ。
【００４５】
監視システム情報抽出部１０８は、ＯＳＰＦプロトコルパケットに含まれる監視システム１０１の情報を抽出する。登録メッセージ送信処理部１１０は、抽出した情報をもとに監視システム１０１への登録要否を判断して、監視システム１０１に当該監視対象装置１０３に関する情報の登録依頼メッセージを送出する。
【００４６】
ここで、監視システム１０１と監視対象装置１０３とを接続するＩＰネットワーク（監視ネットワーク）１０２上には、レイヤ２スイッチやルータなどの監視システム１０１が監視対象としないネットワーク機器も配置されており、これらを含めたネットワーク全体の到達性はＯＳＰＦによる経路制御により実現される。
【００４７】
監視システム１０１の監視システム情報挿入部１０６は、ＯＳＰＦプロトコルパケットに監視システム１０１自身の情報を格納して、独自メッセージとして監視ネットワーク１０２上に配信する。これに対して、監視対象装置１０３の監視システム情報抽出部１０８は、ＯＳＰＦプロトコルパケットに格納された監視システム１０１の情報により、監視システム１０１を自動検出（抽出）する。登録メッセージ送信処理部１１０は、検出（抽出）した監視システム１０１に対して、監視対象装置１０３の装置種別や監視用に設定された装置名称などを含めた登録依頼メッセージを送出する。
【００４８】
このようにして、本発明の第１の実施形態では、監視ネットワーク１０２において定常的に処理されるＯＳＰＦプロトコルパケットに監視システム１０１の情報を含めた独自メッセージを、監視ネットワーク１０２上に配信しているので、受信したＯＳＰＦプロトコルパケットから監視システム１０１の情報を抽出した監視対象装置１０３が、監視システム１０１に対して当該監視対象装置１０３に関する情報の登録依頼を行う登録依頼メッセージを送出することにより、監視システム１０１において監視対象装置１０３を自動検出（監視対象装置１０３に関する情報の登録を）することが可能となる。
【００４９】
次に、図２に示したネットワーク監視システムの動作について説明する。
【００５０】
監視システム１０１は、監視ネットワーク１０２の経路制御を行うため、そのＯＳＰＦプロトコル処理部１０５は、監視ネットワーク１０２に対して、ＯＳＰＦプロトコルパケットを送出し、また監視ネットワーク１０２からＯＳＰＦプロトコルパケットを受信する。
【００５１】
このとき、ＯＳＰＦプロトコルでは、図３に示すOpaque LSAとよばれるアプリケーション独自のデータを配信するためのデータ定義が用意されている。
【００５２】
本発明の第１の実施形態による監視システム１０１は、このOpaque LSAデータ定義を利用し、Opaque LSAのLink State Typeに、ＯＳＰＦネットワーク全体に配信する情報として定義されている“11”を設定し、Opaque Typeには“128”から“255”の範囲にて任意の値を設定し、Opaque IDには“0”を設定する。ここで、Opaque Typeは“128”から“255”の値は独自仕様として定義されているため、監視システム１０１、および監視対象装置１０３において共通となる値を使用すればよく、本発明の第１の実施形態では値の特定は行わない。
【００５３】
このほかのOpaque Informationを除いたデータは、ＯＳＰＦの標準的な動作として規定された値を設定するものとし、ここでは説明しない。
【００５４】
本発明の第１の実施形態における登録方法では、図４に示すように、Opaque Informationにおいて、一般的に使用される３２bit単位長にて定義されたＴＬＶフォーマットを利用し、監視システム１０１のＩＰアドレス、および監視システム１０１の種別を設定する。このとき、図４に示すように、監視システム１０１のアドレスは、IPv4であってもIPv6であってもデータ長が変更となるだけである。また、ＯＳＰＦとしても、IPv4であればOSPFv2を使用し、IPv6であればOSPFv3を使用することで、本発明の第１の実施形態による手法を適用することが可能である。
【００５５】
監視システム１０１から配信された図４に示すOpaque LSAは、図５に示すように、監視システム１０１や監視対象装置１０３と同様にＯＳＰＦによる経路制御を行うルータ８０１で受信される。前述のようにOpaque Typeが独自仕様用途に定義された値に設定されているため、ルータ８０１自身では該当するOpaque LSAの情報の抽出や特定の処理は実施せず、ルータ８０１に接続された監視ネットワーク１０２上に転送を行う（図中に、Opaque LSA 802bとして記載している）。
【００５６】
このようにして、監視システム１０１の情報は、ＯＳＰＦプロトコルパケットを介して監視ネットワーク１０２全体に配信された状態となる。
【００５７】
この状態において、新規に第１の監視対象装置１０３ａを設置したとする。新規の監視対象装置の設置時には、該当第１の監視対象装置１０３ａに対してＩＰアドレスの設定を行い、管理用の装置名称の設定、およびＯＳＰＦにより経路制御の有効化設定を行う。
【００５８】
新規に設置された第１の監視対象装置１０３ａにおいてＯＳＰＦが有効化されると、第１の監視対象装置１０３ａにおいて監視システム１０１から配信されたOpaque LSA 802b監視システム情報が受信される。
【００５９】
第１の監視対象装置１０３ａは、図６に示す手順により、受信した監視システム情報を抽出し、登録メッセージ送信処理部１１０にて該当監視システム１０１に対して自身に関する情報を登録する必要があるかどうかを判断し、すでに登録ずみであればなにも処理を行わない。
【００６０】
詳述すると、第１の監視対象装置１０３ａのＯＳＰＦプロトコル処理部１０７は、ＯＳＰＦパケットを受信する（ステップＳ９０１）。第１の監視対象装置１０３ａの監視システム情報抽出部１０８は、その受信したＯＳＰＦパケットにOpaque LSAが含まれているか否か判断する（ステップＳ９０２）。Opaque LSAが含まれていれば（ステップＳ９０２の「はい」）、第１の監視対象装置１０３ａの監視システム情報抽出部１０８は、Opaque LSAより、監視システム１０１の種別、ＩＰアドレスを取得する（ステップＳ９０３）。
【００６１】
次に、第１の監視対象装置１０３ａの登録メッセージ送信処理部１１０は、その取得した監視システム１０１の種別、ＩＰアドレスが登録依頼済みか否か判断する（ステップＳ９０４）。登録依頼済みでなければ、（ステップＳ９０４の「いいえ」）、第１の監視対象装置１０３ａの登録メッセージ送信処理部１１０は、監視システム１０１に対して登録依頼メッセージを通知する（ステップＳ９０５）。
【００６２】
そして、第１の監視対象装置１０３ａの登録メッセージ送信処理部１１０は、監視システム１０１から登録依頼受信完了通知を受信したか否かを判断する（ステップＳ９０６）。登録依頼受信完了通知を受信したなら（ステップＳ９０６の「はい」）、処理を終了する。登録依頼受信完了通知を受信しないなら（ステップＳ９０６の「いいえ」）、処理をステップＳ９０５に戻す。
【００６３】
登録メッセージ送信処理部１１０にて登録依頼を行う必要があると判断された場合、図７に示すように、第１の監視対象装置１０３ａの登録メッセージ送信処理部１１０は、監視システム情報に含まれる監視システム１０１のタイプに応じて適切な通信手段を利用して、該当監視対象装置１０３ａのＩＰアドレス、装置名称、装置種別を含む登録依頼メッセージ１１０１を監視システム１０１に対して発出する。このとき、第１の監視対象装置１０３ａが発出する登録依頼メッセージ１１０１は、Opaque LSA 802bに含まれる監視システム種別に応じて適切なメッセージを使用して行うこととする。したがって、本発明の第１の実施形態では、具体的なメッセージ種別やフォーマットについては規定しない。
【００６４】
監視システム１０１の登録メッセージ受信処理部１０９は、図８に示すように、第１の監視対象装置１０３ａから登録依頼メッセージを受信する（ステップＳ１００１）と、すでに登録済みか否か判断する（ステップＳ１００２）。登録済みでなければ(ステップＳ１００２の「いいえ」)、監視システム１０１の登録メッセージ受信処理部１０９は、登録処理を実施する（ステップＳ１００３）。その後、監視システム１０１のＯＳＰＦプロトコル処理部１０５は、該当する第１の監視対象装置１０３ａに対して登録依頼メッセージの受信完了を通知し（ステップ１００４）、第１の監視対象装置１０３ａからの登録依頼メッセージの送出を抑止する。
【００６５】
第１の監視対象装置１０３ａの登録メッセージ送信処理部１１０は、登録依頼メッセージの受信完了通知により、図６のステップＳ９０４の処理にて監視システム１０１の情報に対して登録依頼済みと判断し、以後ＯＳＰＦパケットに含まれる監視システム情報抽出時に登録依頼を行わないように制御する。
【００６６】
このように、監視対象装置１０３は、登録依頼メッセージに対して自身に関する情報を含めて監視システム１０１に登録依頼を行っている。その結果、人手による作業は、監視対象装置の設置時の作業のみとなり、誤設定の機会を減らすことが可能となる。
【００６７】
以上説明したように、本発明の第１の実施形態においては、以下に記載するような効果を奏する。
【００６８】
第１の効果は、ＯＳＰＦプロトコルパケットにおいて独自メッセージを定義し、ＯＳＰＦプロトコルによりネットワーク全体への配信制御を行っているので、サブネットワークの制限なく監視システムの情報を配信できることである。
【００６９】
第２の効果は、ルーティングプロトコルパケットにおいて独自メッセージを定義しているので、本第１の実施形態で提案する機能を持たない通常のルータが内容を解釈して登録依頼通知を発出することはなく、また、存在しない装置に対して余計なパケットを送出することもないことである。このため、監視システムにおいて監視対象とする装置だけを抽出（監視対象装置に関する情報の登録を）することが可能となる。
【００７０】
第３の効果は、監視対象装置に登録された情報をもとに監視システムへの登録依頼を行うため、誤設定による接続異常を極力回避することが可能となることである。
【００７１】
図９を参照して、本発明の第２の実施形態に係るネットワーク監視システムについて説明する。本発明の第２の実施形態として、その基本的構成は、上記の通りであるが、ＯＳＰＦのスタブエリア１２０２とよばれるエリアの対応についてさらに工夫している。
【００７２】
ＯＳＰＦではネットワーク構成が大規模になると経路情報が大きくなるため、ネットワーク全体を複数のエリアに分割して経路情報を縮小することが可能となる。このとき、ＯＳＰＦ上ではエリアからの出口が１箇所しか存在しない場合、スタブエリア１２０２と呼ばれる特殊なエリアとして定義し、該当エリア１２０２には全ての経路情報を配布することなく、エリア外部へのルートはデフォルトルートとしてのみ配信されるようになる。
【００７３】
この場合、Opaque LSAのLink State Typeが“11”として定義された監視システム情報を含むOpaque LSA １２０３は、スタブエリア１２０２内部の監視対象装置１０３ａ〜１３０ｃに配信されなくなる。
【００７４】
このため、この第２の実施形態では、スタブエリア１２０２の境界に配置された監視対象装置１２０１が、監視システム情報の再配信処理部１２０５を持つ。この再配信処理部１２０５は、スタブエリア１２０２外より受信したOpaque LSA １２０３より監視システム情報を抽出し、スタブエリア１２０２内にエリア内部にのみ配布するタイプであるOpaque LSA Link State Type10として再配信する仕組みを持つ。
【００７５】
これにより、スタブエリア１２０２に存在する監視対象装置１０３ａ〜１３０ｃに対しても監視システム情報が到達し、前述する第１の実施形態の動作と同様に、監視システム１０１に対して登録依頼メッセージを送出することが可能となる。
【００７６】
以上、実施形態を参照して本発明を説明したが、本発明は上記実施形態に限定されるものではない。本発明の構成や詳細には、本発明のスコープ内で当業者が理解し得る様々な変更をすることができる。
【符号の説明】
【００７７】
１０１  ・・・  監視システム
１０２  ・・・  監視ネットワーク
１０３ａ〜１０３ｆ  ・・・  監視対象装置
１０４  ・・・  監視回線
１０５  ・・・  ＯＳＰＦプロトコル処理部
１０６  ・・・  監視システム情報挿入部
１０７  ・・・  ＯＳＰＦプロトコル処理部
１０８  ・・・  監視システム情報抽出部
１０９  ・・・  登録メッセージ受信処理部
１１０  ・・・  登録メッセージ送信処理部
８０１  ・・・  ルータ
１１０１  ・・・  登録依頼メッセージ
１２０１  ・・・  監視対象装置
１２０２  ・・・  スタブエリア
１２０５  ・・・  再配信処理部
【図１】
0005630611.tif 000002
【図２】
0005630611.tif 000003
【図３】
0005630611.tif 000004
【図４】
0005630611.tif 000005
【図５】
0005630611.tif 000006
【図６】
0005630611.tif 000007
【図７】
0005630611.tif 000008
【図８】
0005630611.tif 000009
【図９】
0005630611.tif 000010
【図１０】
0005630611.tif 000011
【図１１】
0005630611.tif 000012
【図１２】
0005630611.tif 000013
【図１３】
0005630611.tif 000014
【図１４】
0005630611.tif 000015